(57)【要約】【課題】  納豆やとろろ芋などの粘性の強い食品を入れた後の食器を洗うのに適した食器洗い具を提供する。【解決手段】  本発明の食器洗い具１０は、スポンジなどの吸水性素材からなる芯材１１と、芯材１１の周囲に貼付された合成樹脂製のシート１２とを有し、合成樹脂製のシートに１以上のひだ１２ａを形成した。納豆等を入れた後の食器を水に漬け、本発明の食器洗い具１０の合成樹脂製のシート１２のひだ１２ａでぬめりを擦ると、簡単にぬめりが食器から剥がれ落ち、綺麗に洗うことができる。【選択図】      図１
2006075459.tif 000002
【特許請求の範囲】
【請求項１】
吸水性素材からなる芯材と、該芯材の周囲の少なくとも一部に貼付された合成樹脂製のシートとを有し、該合成樹脂製のシートが、１以上のひだ又は凹凸を有することを特徴とする食器洗い具。
【請求項２】
前記吸水性素材が、軟質で多孔質のスポンジ状の合成樹脂であることを特徴とする請求項１記載の食器洗い具。
【請求項３】
前記芯材の少なくとも１面は開放されていることを特徴とする請求項１又は２に記載の食器洗い具。
【発明の詳細な説明】
【技術分野】
【０００１】
本発明は食器洗い具に関し、特に、納豆やとろろ芋などの粘性の強い食品を入れた後の食器を洗うのに適した食器洗い具に関する。
【背景技術】
【０００２】
食器洗い具としては、従来、発泡ウレタンなどの合成樹脂製で、軟質のスポンジ状の素材を用いたものが多かった。これは、吸水性に富み、洗剤入りの水を十分に含んだ状態にして食器を洗えるからである。
【０００３】
しかしながら、スポンジだけでは、洗剤を含む水に直接触れるので手が荒れるという問題があった。そこで、特許文献１（特開２００１−１８７０１１号）では、ビニール手袋にスポンジを張り付けた食器洗い具を提案している。
【０００４】
また、スポンジは水を含み易く、乾燥することが少ないため、雑菌が繁殖するという問題を解決するものとして、特許文献２（特開平１１−５６７４１号）では、スポンジの凹部に抗菌剤を含有させた食器洗い具を提案している。
【０００５】
さらに夾雑物が残存しにくくなるものとして、特許文献３（実開平０５−４８８５９号）では、スポンジの１面に合成繊維を直立植毛した食器洗い具を提案している。
【０００６】
一方、納豆やとろろ芋などの粘性の強い食品を入れた後の食器を洗う場合、前記した先行文献に記載された食器洗い具など従来の食器洗い具では、ぬるぬるした残存物を綺麗に洗い落とすには、非常に時間が掛かった。
【特許文献１】特開２００１−１８７０１１号
【特許文献２】特開平１１−５６７４１号
【特許文献３】実開平０５−４８８５９号
【発明の開示】
【発明が解決しようとする課題】
【０００７】
本発明は、このような事情から考えられたもので、納豆やとろろ芋など（以下「納豆等」という）を入れた後の食器のぬめりを簡単に落とすことができる食器洗い具を提供することを目的としている。
【課題を解決するための手段】
【０００８】
前記の目的を達成するために本発明の食器洗い具は、吸水性素材からなる芯材と、該芯材の周囲の少なくとも一部に貼付された合成樹脂製のシートとを有し、該合成樹脂製のシートが、１以上のひだ又は凹凸を有することを特徴としている。前記吸水性素材が、軟質で多孔質のスポンジ状の合成樹脂である構成としたり、前記芯材の少なくとも１面は開放されている構成とすることができる。
【発明の効果】
【０００９】
納豆等を入れた後の食器を水に漬け、本発明の食器洗い具の合成樹脂製のシートのひだでぬめりを擦ると、簡単にぬめりが食器から剥がれ落ち、綺麗に洗うことができる。芯材が吸水性の素材なので、洗剤を含んだ洗浄水を十分吸収することができ、シートのひだや凹凸でこすり取ったぬめりを速やかに洗い流すことができる。
【発明を実施するための最良の形態】
【００１０】
以下、本発明の実施の形態を添付図面を参照して説明する。
【００１１】
図１は、本発明の食器洗い具の斜視図、図２は、合成樹脂製のシートの拡大端面図、図３は芯材の斜視図である。
【００１２】
本発明の食器洗い具１０は、芯材１１の周囲に合成樹脂製のシート１２を貼付したものである。
【００１３】
芯材１１としては、軟質の発泡ウレタンなどからなるスポンジ状のものを使用している。しかし、軟質で吸水性に富む素材であればよく、特に、スポンジ状に限定されるものではない。
【００１４】
合成樹脂製のシート１２は、特に素材は限定されない。ただし、刺身の仕切や、市販された弁当等の仕切に使用されるバラン或いはバランと同じ素材のシートが、最も、ぬめりを良く落とすようである。
【００１５】
本発明では、合成樹脂のシート１２には、複数のひだ１２ａが付けられていることに特徴がある。図１、図２に示す実施例では、波形の均等なひだ１２ａをほぼ等間隔で芯材１１の一端から他端まで直線状に形成している。これらのひだ１２ａの山の頂上の稜線を中心とした部分が、食器に付着したぬめりに当たって、ぬめりを食器から擦り取るのである。図１の実施例では、ひだ１２ａは芯材１１の一方から他方まで形成されているが、特にこのようにする必要はなく、中間から一方が消滅してもよい。要するに、凹凸があればよい。
【００１６】
合成樹脂製のシート１２は、芯材１１の周囲を覆っているが、周囲全体を覆わなくても１，２の面など周囲の一部を覆えばよい。また、少なくとも１面は覆わない面が残ることが望ましい。全面を完全に覆ってしまうと、洗浄水が芯材１１に吸収されにくくなるからである。
【００１７】
芯材１１に合成樹脂製のシート１２を固定する方法であるが、接着剤でもよく、糸で縫いつけてもよい。あるいは、合成樹脂製のシート１２を先に環状に形成して、後から芯材１１を押し込んで弾性で止めるようにしてもよい。
【００１８】
図４は、本発明の第２実施例の正面図である。この実施例の食器洗い具２０では、芯材２１が円筒形状となっている。円筒の周囲に合成樹脂製のシート２２を巻き、円筒の両端面は露出している。合成樹脂製のシート２２には、多数のひだ２２ａが形成されている。
【００１９】
図５は、本発明の第３実施例の正面図である。この実施例の食器洗い具３０は、直方体形状の芯材３１の上下両面にのみ合成樹脂製のシート３２を貼付している。シート３２のひだ３２ａは、波形ではなく、三角形となっている。
【００２０】
図６は、本発明の第４実施例の正面図である。この実施例の食器洗い具４０は、直方体形状の芯材４１の上面にのみ合成樹脂製のシート４２を貼付している。シート４２のひだ４２ａは、不規則な波形で、一部にはひだのない部分４２ｂがある。
【００２１】
本発明では、ひだを形成することが重要ではあるが、ひだの形状は自由であり、凹凸があればよい。
【図面の簡単な説明】
【００２２】
【図１】本発明の食器洗い具の斜視図である。
【図２】合成樹脂製のシートの拡大端面図である。
【図３】芯材の斜視図である。
【図４】本発明の第２実施例の正面図である。
【図５】本発明の第３実施例の正面図である。
【図６】本発明の第４実施例の正面図である。
【符号の説明】
【００２３】
１０，２０，３０，４０    食器洗い具
１１，２１，３１，４１    芯材
１２，２２，３２，４２    合成樹脂製のシート
１２ａ，２２ａ，３２ａ，４２ａ  ひだ
【図１】
2006075459.tif 000003
【図２】
2006075459.tif 000004
【図３】
2006075459.tif 000005
【図４】
2006075459.tif 000006
【図５】
2006075459.tif 000007
【図６】
2006075459.tif 000008